(57)【特許請求の範囲】
【請求項１】
液晶表示器用の表示窓を有した外枠と、前記表示窓の内側に取り付けられる回路基板と、前記回路基板を保持し前記外枠に固定されるホルダーと、前記表示窓を塞ぐ窓カバーと、窓カバーを覆い外枠に取り付けた表示パネルとを備え、前記表示窓の内周に前記窓カバーを載置する段差部を設けるとともに、前記窓カバーには前記ホルダーに向けてボスを設け、前記回路基板には前記窓カバーの前記ボスが通る貫通孔を設け、前記窓カバーを前記段差部に載置した時にボス先端とホルダーとの間に隙間が生じるようにし、前記窓カバーと前記段差部の当接部位に力を加えた時に前記窓カバーまたは前記段差部が永久変形する変位量より、前記ボス先端と前記ホルダーとの前記隙間を小さくした機器の表示装置。
【請求項２】
窓カバーの裏側に補強リブを設け、補強リブ先端と回路基板表面との空間をボス先端とホルダーとの隙間よりも大きくした請求項１に記載の機器の表示装置。
【請求項３】
窓カバーに抜け止め突起を設け、抜け止め突起を表示窓の内側に係合させた請求項１または２に記載の機器の表示装置。
【請求項４】
発光ダイオードを備えた回路基板と、窓カバーの裏面に設け発光ダイオードを覆う筒部とを備え、ボス先端が回路基板表面に当接する時、前記筒部と発光ダイオードとが当接しない高さに筒部を設定した請求項１〜３のいずれか１項に記載の機器の表示装置。
【発明の詳細な説明】
【技術分野】
【０００１】
本発明は、電気湯沸かし器などの機器においてその動作状態を表示する表示装置に関するものである。
【背景技術】
【０００２】
従来、この種の電気湯沸かし器の表示装置として、動作状態を液晶表示器や発光ダイオードで表示するものがあった（例えば、特許文献１参照）。
【０００３】
これは、図８に示すように、外枠１に液晶表示器用の表示窓３が設けられ、表示窓３の内側には液晶表示器２を備えた回路基板４が取り付けられている。回路基板４はホルダー５で保持され、ホルダー５は外枠１にネジ６で固定されている。また、外枠１の表面には液晶表示器２と対応部を透明部にした表示パネル７が取り付けられている。
【特許文献１】特開２００３―２５０７０２号公報
【発明の開示】
【発明が解決しようとする課題】
【０００４】
しかしながら、前記従来の構成では、液晶表示器２のない仕様の電気湯沸かし器を作る場合には、表示窓３の付いた外枠１をそのまま使用し、これに透明部のない表示パネルを貼り付けることで一応の目的は達成することができる。しかし、この構成では表示パネルの下が表示窓３になっているため、表示パネル７の下支えがなくふわついてしまう。そのため、実際には金型を別に準備して表示窓３のない外枠１を作っていた。その結果、液晶表示器の有無により金型をそれぞれ作成していたため、金型投資が大きくなるという課題を有していた。
【０００５】
本発明は、前記従来の課題を解決するもので、液晶表示器の有無により外枠を別々にするということなく、見栄えが均一でかつ強度のある機器の表示装置を提供することを目的とする。
【課題を解決するための手段】
【０００６】
前記従来の課題を解決するために、本発明の機器の表示装置は、液晶表示器用の表示窓を有した外枠と、前記表示窓の内側に取り付けられる回路基板と、前記回路基板を保持し前記外枠に固定されるホルダーと、前記表示窓を塞ぐ窓カバーと、窓カバーを覆い外枠に取り付けた表示パネルとを備え、前記表示窓の内周に前記窓カバーを載置する段差部を設けるとともに、前記窓カバーには前記ホルダーに向けてボスを設け、前記回路基板には前記窓カバーの前記ボスが通る貫通孔を設け、前記窓カバーを前記段差部に載置した時にボス先端とホルダーとの間に隙間が生じるようにし、前記窓カバーと前記段差部の当接部位に力を加えた時に前記窓カバーまたは前記段差部が永久変形する変位量より、前記ボス先端と前記ホルダーとの前記隙間を小さくしたものである。
【０００７】
これによって、液晶表示器のない仕様の機器にあっては、液晶表示器用の表示窓が段差部に載置した窓カバーで塞がれ、この窓カバーに力が加わっても窓カバーのボス先端とホルダーが当たることで、表示パネルがふわついてしまうことがない。したがって、液晶表示器の有無により外枠を別々にするということなく、見栄えが均一でかつ強度のある機器の表示装置が提供できる。さらに、回路基板には窓カバーのボスが通る貫通孔を設けたことにより、回路基板の強度を上げることができ回路基板の破損を防ぐことができる。さらに、窓カバーと段差部の当接部位に力を加えた時に窓カバーまたは段差部が永久変形する変位量より、ボス先端とホルダーとの隙間を小さくしたことにより、窓カバーを押えられた時の窓カバーや段差部の変形を防ぐことができる。
【発明の効果】
【０００８】
本発明の機器の表示装置は、液晶表示器の有無により外枠を別々にすることなく、見栄えが均一でかつ強度のあるものとすることができる。
【発明を実施するための最良の形態】
【０００９】
第１の発明は、液晶表示器用の表示窓を有した外枠と、前記表示窓の内側に取り付けられる回路基板と、前記回路基板を保持し前記外枠に固定されるホルダーと、前記表示窓を塞ぐ窓カバーと、窓カバーを覆い外枠に取り付けた表示パネルとを備え、前記表示窓の内周に前記窓カバーを載置する段差部を設けるとともに、前記窓カバーには前記ホルダーに向けてボスを設け、前記窓カバーを前記段差部に載置した時にボス先端とホルダーとの間に隙間が生じるようにした機器の表示装置とすることにより、液晶表示器のない仕様の機器にあっては、液晶表示器用の表示窓が段差部に載置した窓カバーで塞がれ、この窓カバーに力が加わっても窓カバーのボス先端とホルダーが当たることで、表示パネルがふわついてしまうことがない。したがって、液晶表示器の有無により外枠を別々にするということなく、見栄えが均一でかつ強度のある機器の表示装置が提供できる。
【００１０】
さらに、回路基板には窓カバーのボスが通る貫通孔を設けたことにより、回路基板の強度を上げることができ回路基板の破損を防ぐことができる。
【００１１】
さらに、窓カバーと段差部の当接部位に力を加えた時に窓カバーまたは段差部が永久変形する変位量より、ボス先端とホルダーとの隙間を小さくしたことにより、窓カバーを押えられた時の窓カバーや段差部の変形を防ぐことができる。
【００１２】
第２の発明は、特に、第１の発明において、窓カバーの裏側に補強リブを設け、補強リブ先端と回路基板表面との空間をボス先端とホルダーとの隙間よりも大きくしたことにより、ボス先端とホルダーが当たった時に補強リブの先端と回路基板表面との間に空間を確保し、回路基板の破損を防ぐことができる。
【００１３】
第３の発明は、特に、第１〜第２のいずれか１つの発明において、窓カバーに抜け止め突起を設け、抜け止め突起を表示窓の内側に係合させたことにより、分解する時に回路基板に力が加わらず回路基板が損傷しないようにすることができる。
【００１４】
第４の発明は、特に、第１〜第３のいずれか１つの発明において、発光ダイオードを備えた回路基板と、窓カバーの裏面に設け発光ダイオードを覆う筒部とを備え、ボス先端が回路基板表面に当接する時、前記筒部と発光ダイオードとが当接しない高さに筒部を設定したことにより、窓カバーをセットする時に筒部と発光ダイオードが当たって発光ダイオードが変形するのを防ぐことができる。
【００１５】
以下、本発明の実施の形態について、図面を参照しながら説明する。なお、この実施の形態によって本発明が限定されるものではない。
【００１６】
（実施の形態１）
図１、図２は、本発明の実施の形態１における機器の表示装置の代表例として、電気湯沸かし器の表示装置を示している。
【００１７】
図に示すように、本実施の形態における機器の表示装置は、液晶表示器用の表示窓２３を有した外枠２１と、表示窓２３の内側に取り付けられる、発光ダイオード２６を有する回路基板２７と、回路基板２７を保持し外枠２１に下方からネジ２９で固定されるホルダー２８と、表示窓２３を着脱自在に塞ぐ窓カバー２５と、上方から窓カバー２５を覆い外枠２１に取り付けた表示パネル３３とを備えている。
【００１８】
そして、表示窓２３の内周には窓カバー２５を載置する段差部２４を設けるとともに、窓カバー２５にはホルダー２８に向けて複数のボス３０を設け、窓カバー２５を段差部２４に載置した時にボス先端とホルダー２８との間にわずかな隙間３２が生じるようにしている。
【００１９】
なお、窓カバー２５を表示窓２３の段差部２４に載置する際には、回路基板２７に設けられている切欠き３１をボス３０が通るようになっている。また、表示パネル３３は、液晶表示器の代わりに窓カバー２５を設けているので、透明部を有しないものを使用している。
【００２０】
以上のように構成された機器の表示装置について、以下その動作、作用を説明する。
【００２１】
液晶表示器がない製品仕様の場合には、図示したように、窓カバー２５で表示窓２３を塞ぐことにより、表示パネル３３が支えられてふわつくことはない。一方、液晶表示器がある製品仕様とする場合には、窓カバー２５を外せばよく、液晶表示器の有無で外枠２１を別々に作成する必要がない。その結果、金型投資を少なくすることができる。また、窓カバー２５を段差部２４に載置するようにしたことにより、段差部２４と窓カバー２５の２部品の関係だけで窓カバー２５の外枠２１からの出代が決まる。したがって、窓カバー２５の出代がばらつかず、見栄えを均一にすることができる。さらに、表示パネル３３の上から窓カバー２５を押されても、ボス３０がホルダー２８に当たって力を受けるため、窓カバー２５が段差部２４からはずれて落ち込んでしまうといったことがない。
【００２２】
このように、本実施の形態においては、液晶表示器のない仕様の機器にあっては、液晶表示器用の表示窓が段差部に載置した窓カバーで塞がれ、この窓カバーに力が加わっても窓カバーのボス先端とホルダーが当たることで、表示パネルがふわついてしまうことがない。したがって、液晶表示器の有無により外枠を別々にするということなく、見栄えが均一でかつ強度のある機器の表示装置が提供できる。
【００２３】
なお、本実施の形態では電気湯沸かし器の表示装置を代表例として示しているが、電気湯沸かし器に限らず同じ外枠を使って仕様の違う製品を作る場合に有効であり、液晶表示器用の表示窓を有した機器全般に適用できるものである。
【００２４】
（実施の形態２）
図３は、本発明の実施の形態２における機器の表示装置を示している。実施の形態１と同一要素については同一符号を付してその説明を省略する。
【００２５】
本実施の形態における機器の表示装置は、回路基板２７には窓カバー２５のボス３０が通る貫通孔３４を設けたものである。回路基板２７は窓カバー２５のボス３０が貫通孔３４を通ることにより、位置決めされるものである。他は実施の形態１と同じである。
【００２６】
このように、本実施の形態においては、実施の形態１の切欠きに代えて貫通孔を設けたことにより、回路基板の強度を上げることができ回路基板の破損を防ぐことができるものである。
【００２７】
（実施の形態３）
図４は、本発明の実施の形態３における機器の表示装置を示している。実施の形態１と同一要素については同一符号を付してその説明を省略する。
【００２８】
本実施の形態における機器の表示装置は、窓カバー２５と段差部２４の当接部位に力を加えた時に窓カバー２５または段差部２４が永久変形する変位量より、ボス３０の先端とホルダー２８との隙間３２を小さくしたものである。他は実施の形態１と同じである。
【００２９】
このように、本実施の形態においては、窓カバーまたは段差部が永久変形する変位量より、ボスの先端とホルダーとの隙間を小さくしたことにより、表示パネルの上から窓カバーが押されても、当接部位が永久変形する前にボスが外枠に固定されたホルダーに当たるため、窓カバーや段差部の変形を防ぐことができるものである。
【００３０】
（実施の形態４）
図５は、本発明の実施の形態４における機器の表示装置を示している。実施の形態１と同一要素については同一符号を付してその説明を省略する。
【００３１】
本実施の形態における機器の表示装置は、窓カバー２５の裏側に窓カバー２５を補強する補強リブ３５を設け、補強リブ３５先端と回路基板２７表面との空間３６を、ボス３０の先端とホルダー２８との隙間３２よりも大きくしたものである。他は実施の形態１と同じである。
【００３２】
このように、本実施の形態においては、窓カバーの補強リブ先端と回路基板表面との空間を、ボス先端とホルダーとの隙間よりも大きくしたことにより、ボス先端とホルダーが当たった時に補強リブの先端と回路基板表面との間に空間を確保し、回路基板に力が加わらず回路基板の破損を防ぐことができるものである。
【００３３】
（実施の形態５）
図６は、本発明の実施の形態５における機器の表示装置を示している。実施の形態１と同一要素については同一符号を付してその説明を省略する。
【００３４】
本実施の形態における機器の表示装置は、窓カバー２５の裏面に抜け止め突起３７を設け、窓カバー２５を押し込むことにより、抜け止め突起３７を表示窓２３の内側に弾性的に係合させたものである。他は実施の形態１と同じである。
【００３５】
このように、本実施の形態においては、窓カバーに抜け止め突起を設けことにより、窓カバーと回路基板が係合していないため、分解する時に回路基板に力が加わらず回路基板を損傷することがないものである。
【００３６】
（実施の形態６）
図７は、本発明の実施の形態６における機器の表示装置を示している。実施の形態１と同一要素については同一符号を付してその説明を省略する。
【００３７】
本実施の形態における機器の表示装置は、発光ダイオード２６を備えた回路基板２７と、窓カバー２５の裏面に設け発光ダイオード２７を覆い光の拡散を抑える筒部３８とを備え、ボス３０の先端が回路基板２７表面に当接する時、前記筒部３８と発光ダイオード２６とが当接しない高さに筒部３８を設定したものである。すなわち、ボス３０が貫通孔３４に入って位置決めされてから筒部３８が発光ダイオード２６を覆うようにしてある。他は実施の形態１と同じである。
【００３８】
このように、本実施の形態においては、ボスの先端が回路基板表面に当接する時、筒部と発光ダイオードとが当接しない高さに筒部を設定したことにより、窓カバーをセットする時、筒部が位置決めされる前に、筒部と発光ダイオードが当たって発光ダイオードが変形するのを防ぐことができるものである。
【産業上の利用可能性】
【００３９】
以上のように、本発明にかかる機器の表示装置は、液晶表示器の有無により外枠を別々にすることなく、見栄えが均一でかつ強度のあるものとすることができるので、電気湯沸かし器に限らず同じ外枠を使って仕様の違う製品を作る場合に有効であり、液晶表示器用の表示窓を有した機器全般に適用できるものである。
【図面の簡単な説明】
【００４０】
【図１】本発明の実施の形態１における機器の表示装置を示す分解斜視図
【図２】同機器の表示装置を示す部分断面図
【図３】本発明の実施の形態２における機器の表示装置を示す分解斜視図
【図４】本発明の実施の形態３における機器の表示装置を示す部分断面図
【図５】本発明の実施の形態４における機器の表示装置を示す部分断面図
【図６】本発明の実施の形態５における機器の表示装置を示す部分断面図
【図７】本発明の実施の形態６における機器の表示装置を示す部分断面図
【図８】従来の電気湯沸かし器の表示装置を示す分解斜視図
【符号の説明】
【００４１】
２１  外枠
２３  表示窓
２４  段差部
２５  窓カバー
２６  発光ダイオード
２７  回路基板
２８  ホルダー
３０  ボス
３２  隙間
３３  表示パネル
３４  貫通孔
３５  補強リブ
３６  空間
３７  抜け止め突起
３８  筒部
【図１】
0004640111.tif 000002
【図２】
0004640111.tif 000003
【図３】
0004640111.tif 000004
【図４】
0004640111.tif 000005
【図５】
0004640111.tif 000006
【図６】
0004640111.tif 000007
【図７】
0004640111.tif 000008
【図８】
0004640111.tif 000009